(57)【要約】【課題】被梱包物の開封性に優れた梱包装置を提供する。【解決手段】被梱包物１の両端部に前記被梱包物１を支持する緩衝材２を当てがえて筒状の外装箱３に挿入して結束バンド４で封函する梱包装置において、前記外装箱３の天面を形成する面の前記緩衝材２の内端が位置する箇所に切込み部５を設け、前記切込み部５の位置に前記結束バンド４を配置したもので、切込み部５を外装箱３の内側へ折り曲げ緩衝材２を外装箱３の外側へ押し出すことができる構造になり、開封時に緩衝材２を容易に抜き出すことができ、開封作業の作業性を向上させることができる。【選択図】図１
2010260556.tif 000002
【特許請求の範囲】
【請求項１】
被梱包物の両端部に前記被梱包物を支持する緩衝材を当てがえて筒状の外装箱に挿入して結束バンドで封函する梱包装置において、前記外装箱の天面を形成する面の前記緩衝材の内端が位置する箇所に切込み部を設け、前記切込み部の位置に前記結束バンドを配置したことを特徴とする梱包装置。
【請求項２】
被梱包物の両端部に前記被梱包物を支持する緩衝材を当てがえて筒状の外装箱に挿入して結束バンドで封函する梱包装置において、前記外装箱の天面を形成する面の前記緩衝材の内端が位置する箇所に穴を設け、前記穴の位置に前記結束バンドを配置した梱包装置。
【発明の詳細な説明】
【技術分野】
【０００１】
本発明は、梱包装置に関するもので、特に、分離型空気調和機の室内機の梱包に用いられる梱包装置に関するものである。
【背景技術】
【０００２】
従来この種の梱包装置は、図５に示すように空気調和機等の被梱包物１に傷付きなどを防ぐ保護袋（図示せず）を被せ、両端部には輸送中の衝撃を吸収する緩衝材７を当てがい支持し、筒状の外装箱９に収納し結束バンド１１にて梱包を完了するものである。外装箱９の一側に切欠き部１０が設けられ、挿入される緩衝材７に外装箱９の切欠き部１０と相対向する位置に凹部８が形成されていることによって手掛かりができ、開封時に外装箱９から容易に緩衝材７を抜き出すことができるようになっているものである（例えば、特許文献１参照）。
【先行技術文献】
【特許文献】
【０００３】
【特許文献１】実開平７−２２９１５号公報
【発明の概要】
【発明が解決しようとする課題】
【０００４】
しかしながら、前記従来の梱包装置の構成では、外装箱９の切欠き部１０と緩衝材７の凹部８により穴が形成されているため、倉庫での保管時に穴から埃やゴミなどが浸入し被梱包物７が汚れてしまうという課題を有していた。
【０００５】
本発明は、前記従来の課題を解決するものであり、構造を複雑化すること無く梱包装置の開封性に優れた梱包装置を提供することを目的とする。
【課題を解決するための手段】
【０００６】
前記従来の課題を解決するために、本発明の梱包装置は、被梱包物の両端部に前記被梱包物を支持する緩衝材を当てがえて筒状の外装箱に挿入して結束バンドで封函する梱包装置において、前記外装箱の天面を形成する面の前記緩衝材の内端が位置する箇所に切込み部を設け、前記切込み部の位置に前記結束バンドを配置したもので、切込み部を外装箱の内側へ折り曲げ緩衝材を外装箱の外側へ押し出すことができる構造になるため、開封時に緩衝材を容易に抜き出すことができ、開封作業の作業性を向上させることができる。
【０００７】
また、本発明の梱包装置は、被梱包物の両端部に前記被梱包物を支持する緩衝材を当てがえて筒状の外装箱に挿入して結束バンドで封函する梱包装置において、前記外装箱の天面を形成する面の前記緩衝材の内端が位置する箇所に穴を設け、前記穴の位置に前記結束バンドを配置したもので、穴から緩衝材の内面を押し外装箱の外側へ押し出すことができる構造になるため、開封時に緩衝材を容易に抜き出すことができ、開封作業の作業性を向上させることができる。また、穴の位置に結束バンドを配置することにより、結束バンドで穴を塞ぐ構造になるため、外部からの埃やゴミの浸入を防止することができ被梱包物が汚れるのを防ぐことができる。
【発明の効果】
【０００８】
本発明の梱包装置は、構造を複雑化すること無く梱包装置の開封性に優れた梱包装置を提供することができる。
【図面の簡単な説明】
【０００９】
【図１】本発明の実施の形態１における梱包装置の分解斜視図
【図２】同梱包装置の部分斜視図
【図３】同梱包装置の部分斜視図
【図４】本発明の実施の形態２における梱包装置の部分斜視図
【図５】従来の梱包装置の分解斜視図
【発明を実施するための形態】
【００１０】
第１の発明は、被梱包物の両端部に前記被梱包物を支持する緩衝材を当てがえて筒状の外装箱に挿入して結束バンドで封函する梱包装置において、前記外装箱の天面を形成する
面の前記緩衝材の内端が位置する箇所に切込み部を設け、前記切込み部の位置に前記結束バンドを配置したもので、切込み部を外装箱の内側へ折り曲げ緩衝材を外装箱の外側へ押し出すことができる構造になるため、開封時に緩衝材を容易に抜き出すことができ、開封作業の作業性を向上させることができる。
【００１１】
第２の発明は、被梱包物の両端部に前記被梱包物を支持する緩衝材を当てがえて筒状の外装箱に挿入して結束バンドで封函する梱包装置において、前記外装箱の天面を形成する面の前記緩衝材の内端が位置する箇所に穴を設け、前記穴の位置に前記結束バンドを配置したもので、穴から緩衝材の内面を押し外装箱の外側へ押し出すことができる構造になるため、開封時に緩衝材を容易に抜き出すことができ、開封作業の作業性を向上させることができる。また、穴の位置に結束バンドを配置することにより、結束バンドで穴を塞ぐ構造になるため、外部からの埃やゴミの浸入を防止することができ被梱包物が汚れるのを防ぐことができる。
【００１２】
以下、本発明の実施の形態について、図面を用いて説明する。なお、この実施の形態によって本発明が限定されるものではない。
【００１３】
（実施の形態１）
図１は、本発明の実施の形態１における梱包装置の分解斜視図、図２は、同梱包装置の部分斜視図、図３は、同梱包装置の部分斜視図である。
【００１４】
図１、図２及び図３において、１は被梱包物であり本実施の形態では分離型空気調和機の室内機とする。２は被梱包物１の左右の両端部を支持する緩衝材で、梱包保管時の積載荷重を支えるとともに輸送時の落下などの外力より保護を行う。そして、段ボール材からなる筒状に形成した外装箱３に挿入し結束バンド４にて封函され梱包作業が完了するものである。
【００１５】
本実施の形態では、外装箱３の天面を形成する面の緩衝材２の内端が位置する箇所に切込み部５を設けている。
【００１６】
本実施の形態における梱包装置は以上のように構成されているので、切込み部５を外装箱３の内側へ折り曲げ緩衝材２を外装箱３の外側へ押し出すことができる構造になるため、開封時に緩衝材２を容易に抜き出すことができ、開封作業の作業性を向上させることができる。
【００１７】
（実施の形態２）
図４は、本発明の実施の形態２における梱包装置の部分斜視図である。尚上記実施の形態１における梱包装置と同一部分には、同一符号を付してその説明を省略する。
【００１８】
本実施の形態における梱包装置は、図４に示すように、外装箱３の天面を形成する面の、緩衝材２の内端が位置する箇所に穴６を設け、その穴６の位置に結束バンド４を配置したものである。
【００１９】
本実施の形態における梱包装置は以上のように構成されているので、開封時に穴６を覆っている結束バンド４を穴６からずらし、その穴６から緩衝材２の内面を押し外装箱３の外側へ押し出すことができるようになり、開封時に緩衝材２を容易に抜きだすことができ、開封作業の作業性を向上させることができる。また、穴６の位置に結束バンド４を配置して、結束バンド４で穴６を塞ぐ構造になるため、外部からの埃やゴミの浸入を防止することができ被梱包物１の汚れを防ぐことができる。
【産業上の利用可能性】
【００２０】
以上のように、本発明の梱包装置は、構造を複雑化すること無く梱包装置の開封性を向上させることができるもので、結束バンドを用いて支持する比較的軽量な梱包装置の用途に適している。
【符号の説明】
【００２１】
１  被梱包物
２  緩衝材
３  外装箱
４  結束バンド
５  切込み部
６  穴
【図１】
2010260556.tif 000003
【図２】
2010260556.tif 000004
【図３】
2010260556.tif 000005
【図４】
2010260556.tif 000006
【図５】
2010260556.tif 000007